(57)【要約】【課題】インナーローターがヘッド挿入用の開口部を閉塞する位置に移動してきたときにインナーローターの周壁の先端を下ハーフに密着させて該部からのダスト等の侵入を防止する。【解決手段】ディスクカートリッジ１は、ディスク２と、ディスク２を回転自在に収納していて側面にヘッド挿入用の開口部３７を有するシェル３と、シェル３の上ハーフ４１とディスク２との間に回転可能に介在されていてヘッド挿入用の開口部３７を開閉するインナーローター５と、を備えている。インナーローター５がヘッド挿入用の開口部３７を閉塞する位置に移動してきたときにインナーローター５の周壁７４の先端を下ハーフ４２に押し付けるインナーローター押付手段７を設けた。【選択図】  図１
2004273028.tif 000002
【特許請求の範囲】
【請求項１】
ディスク状記録媒体と、
前記ディスク状記録媒体を回転自在に収納し該ディスク状記録媒体のハブを外部に臨ませる駆動軸挿入用の開口部を底面側に有し、ヘッド挿入用の開口部を側面側に有するシェルと、
前記シェルの上ハーフとディスク状記録媒体との間に回転可能に介在されていて前記ヘッド挿入用の開口部を開閉するインナーローターと、
前記インナーローターで前記ヘッド挿入用の開口部を閉塞したときに前記ディスク状記録媒体を前記シェルに押し付けてクランプするディスククランプ手段と、
前記インナーローターが前記ヘッド挿入用の開口部を閉塞する位置に移動してきたときに前記インナーローターの周壁の先端を下ハーフに押し付けるインナーローター押付手段と、を備えてなるディスクカートリッジ。
【請求項２】
前記インナーローター押付手段は、前記上ハーフの前記インナーローターと重合面に設けられた突起状の押圧部と、前記インナーローターの上ハーフとの重合面に設けられていて該インナーローターが前記ヘッド挿入用の開口部を閉塞する位置に移動してきたときに前記突起状の押圧部により押圧される被押圧部と、を備えていることを特徴とする請求項１に記載のディスクカートリッジ。
【請求項３】
前記被押圧部は、板バネを略弧状に折り曲げることにより形成されていることを特徴とする請求項２に記載のディスクカートリッジ。
【請求項４】
前記インナーローターは、前記被押圧部としての板バネを収容した第１の溝部と、該第１の溝部の一端部に連続し前記突起状の押圧部を挿入して該突起状の押圧部の移動をガイドする第２の溝部と、を備えていることを特徴とする請求項２に記載のディスクカートリッジ。
【発明の詳細な説明】
【０００１】
【発明の属する技術分野】
本発明は、ディスク状記録媒体を回転可能に収納したシェルの側面にヘッド挿入用の開口部を設け、該開口部からドライブのヘッドを挿入するディスクカートリッジに関するものである。
【０００２】
【従来の技術】
現在、光ディスク、光磁気ディスク、ハードディスクなどのディスク状記録媒体（以下、ディスクと称する）は高密度、高容量、高速アクセスが求められている。このようなディスクを収納したディスクカートリッジは、外部からのダスト、腐食性ガスの侵入を防ぐために密閉性の向上が求められる。
【０００３】
従来この種のディスクカートリッジとして、図１７、図１８に示すものが知られている。
このディスクカートリッジ３０１は、ディスク３０２と、該ディスク３０２が回転可能に収納され、ディスクドライブ装置（図示省略）への挿入端となる前面壁３０３が前記ディスク３０２と略同じ曲率を有して略円弧状に形成され、下面側略中央部に前記ディスク３０２の中央部のハブ３０４を外方に臨ませるディスク駆動用開口部３０５が形成され、前記前面壁３０３の一部に前記ディスクドライブ装置の記録再生手段としての磁気ヘッドが侵入する記録再生用開口部３０６が形成されたシェル（カートリッジ本体）３０７と、該シェル３０７内に回動可能に取付けられたシャッター３０８と、該シャッター３０８に前記ディスク駆動用開口部３０５および記録再生用開口部３０６を閉塞する方向の回動力を付与しているシャッタースプリング３０９を備えている。
【０００４】
前記シェル３０７は、上ハーフ３１０の周壁３１０ａと下ハーフ３１１の周壁３１１ａを突合わせて両者をビス等で結合することにより形成されている。
【０００５】
前記シャッター３０８は、前記ディスク駆動用開口部３０５を開閉する第１のシャッター部３１２と、該第１のシャッター部３１２の一端部に設けられていて前記記録再生用開口部３０６を開閉する第２のシャッター部３１３と、前記第１のシャッター部３１２の他端部に設けられた開閉アーム部３１４と、を備えている。
【０００６】
前記シャッター３０８は、第１のシャッター部３１２の一端部に設けた軸受孔３１５にシェル３０７に設けたシャッター取付軸３１６を挿入することにより回動可能にシェル３０７に取り付けられている。そして、前記シェル３０７に設けた開口部３１７から外部に突出させた開閉アーム部３１４を図示省略のドライブに設けたシャッター開放部材で前記スプリング３０９のバネ力に抗して回動させて前記ディスク駆動用開口部３０５および記録再生用開口部３０６を開放するようになっている。（例えば特許文献１）
【０００７】
【特許文献１】
特開２００１−２３３３０号公報（特許請求の範囲、段落０００１、段落０００２、段落００１３〜段落００２０、図１、図３）
【０００８】
【発明が解決しようとする課題】
従来のディスクカートリッジ３０１にあっては、シャッター３０８でディスク駆動用開口部３０５及び記録再生用開口部３０６を閉塞した場合に、シャッター３０８と、これらディスク駆動用開口部３０５及び記録再生用開口部３０６の間に隙間が発生して、該隙間からダスト等が侵入するという問題点があった。
【０００９】
特に、高密度、高容量等が要求されるディスクを収納したディスクカートリッジにおいては、ダスト等がシェル内に侵入してディスク３０２等に付着すると記録再生が不能になるなどして取り返しのつかない不具合等が発生することがある、
従って、高密度、高容量等が要求されるディスクを収納したディスクカートリッジにおいては、シェルの密閉性を高めることが重要な課題とされている。
【００１０】
本発明は、上記問題点を解決し、ダスト等の侵入をより確実に阻止し、ダスト等からディスクを保護することのできるディスクカートリッジを提供することにある。
【００１１】
【課題を解決するための手段】
請求項１の発明は、ディスク状記録媒体と、ディスク状記録媒体を回転自在に収納し該ディスク状記録媒体のハブを外部に臨ませる駆動軸挿入用の開口部を底面側に有しヘッド挿入用の開口部を側面側に有するシェルと、前記シェルの上ハーフとディスク状記録媒体との間に回転可能に介在されていて前記ヘッド挿入用の開口部を開閉するインナーローターと、を備えたディスクカートリッジにおいて、
前記インナーローターが前記ヘッド挿入用の開口部を閉塞する位置に移動してきたときに前記インナーローターの周壁の先端を下ハーフに押し付けるインナーローター押付手段を設けることにより、
前記インナーローターが前記ヘッド挿入用の開口部を閉塞する位置に移動してきたときに前記インナーローターの周壁の先端を下ハーフに密着させ両者間の隙間をなくしてダスト等が侵入するのを防止した。
【００１２】
請求項２の発明は、請求項１のディスクカートリッジにおいて、
前記インナーローター押付手段を、前記上ハーフの前記インナーローターと重合面に設けられた突起状の押圧部と、前記インナーローターの前記上ハーフとの重合面に設けられていて該インナーローターが前記ヘッド挿入用の開口部を閉塞する位置に移動してきたときに前記突起状の押圧部により押圧される被押圧部と、で構成することにより、
前記ヘッド挿入用の開口部を閉塞する位置に移動してきたときに前記突起状の押圧部で被押圧部を押圧して前記インナーローターの周壁の先端を下ハーフに押し付けるようにした。
【００１３】
請求項３の発明は、請求項２のディスクカートリッジにおいて、
前記被押圧部を、板バネを略弧状に折り曲げて形成することにより、
前記被押圧部を容易かつ安価に製造することができるようにすると共にインナーローターへの取付けを容易にした。
【００１４】
請求項４の発明は、請求項３のディスクカートリッジにおいて、
前記インナーローターに、前記被押圧部としての板バネを収容した第１の溝部と、該第１の溝部の一端部に連続し前記突起状の押圧部を挿入して該突起状の押圧部の移動をガイドする第２の溝部と、を設けることにより、
前記上ハーフに設けた突起状の押圧部をインナーローターに設けた第２の溝部に挿入することにより前記突起状の押圧部の高さを吸収して上ハーフにインナーローターを密着させた状態で回転させ、インナーローターが前記ヘッド挿入用の開口部を閉塞する位置に移動してきたときに前記突起状の押圧部で板バネを押圧してインナーローターの周壁の先端を下ハーフに押し付けるようにした。
【００１５】
【発明の実施の形態】
以下、本発明を（１）ディスクカートリッジの概略構成、（２）ディスク状記録媒体の構成、（３）シェルの構成、（４）シャッターの構成、（５）インナーローターの構成、（６）クランプ手段の構成、（７）ドライブの概略構成、（８）インナーローター押付手段の構成、（９）作用、（１０）その他の実施例、の順に説明する。
【００１６】
（１）ディスクカートリッジの概略構成
図１はディスクカートリッジの斜視図、図１はディスクカートリッジを裏面側から見た斜視図、図３はディスクカートリッジの分解斜視図、図４はインナーローターの斜視図、図５（Ａ），（Ｂ）は要部の断面図である。
【００１７】
ディスクカートリッジ１は、ディスク状記録媒体２と、該ディスク状記録媒体２を回転自在に収納し該ディスク状記録媒体２のハブ２２を外部に臨ませる駆動軸挿入用の開口部３６を底面側に有し、ヘッド挿入用の開口部３７を側面側に有するシェル３と、該シェル３の下ハーフ４２の外面にスライド可能に取り付けられていて前記駆動軸挿入用の開口部３６を開閉するシャッター４と、前記シェル３の上ハーフ４１とディスク状記録媒体２との間に回転可能に介在されていて前記ヘッド挿入用の開口部３７を開閉するインナーローター５と、該インナーローター５を回転させて前記ヘッド挿入用の開口部３７を閉塞したときに前記ディスク状記録媒体２のハブ２２を前記シェル３の下ハーフ４２に押し付けてクランプするディスククランプ手段６と、前記インナーローター５が前記ヘッド挿入用の開口部３７を閉塞する位置に移動してきたときに前記インナーローター５の周壁７４の先端を下ハーフ４２に押し付けるインナーローター押付手段７と、を備えている。
【００１８】
前記シャッター４を閉じている状態、つまり駆動軸挿入用の開口部３６及びヘッド挿入用の開口部３７を閉塞している状態において、前記ディスク状記録媒体２は、前記ディスククランプ手段６により前記下ハーフ４２側にクランプされていると共に、インナーローター５の周壁７４の先端は、前記インナーローター押付手段７により下ハーフ４２の内面に押し付けられている。
【００１９】
前記ディスクカートリッジ１は、後に説明するドライブ（記録再生装置）に挿入すると、ドライブに設けたシャッター開閉機構により前記シャッター４が前記駆動軸挿入用の開口部３６を閉塞している位置から開放する位置にスライドする。前記シャッター４のスライドに連動して前記インナーローター５が回転して、該インナーローター５の周壁７４に設けた切欠部７５が前記ヘッド挿入用の開口部３７と重なって、該ヘッド挿入用の開口部３７を開放する。
【００２０】
前記インナーローター５の回転に連動して前記ディスククランプ手段６が操作され、該ディスククランプ手段６によるディスク状記録媒体２のクランプが解除されると共に、前記インナーローター押付手段７によるインナーローター５の周壁７４の先端の下ハーフ４２の内面への押し付けが解除される。
【００２１】
そして、前記駆動軸挿入用の開口部３６からドライブの駆動軸が導入されて、該駆動軸にディスク状記録媒体２のハブ２２がチャッキングされる。一方、前記ヘッド挿入用の開口部３７からはドライブのヘッドが挿入され、記録再生可能な状態になる。
【００２２】
また、ドライブからディスクカートリッジ２を排出すると、ドライブに設けたシャッター開閉機構やシャッタースプリングにより前記シャッター４が前記駆動軸挿入用の開口部３６を開放している位置から閉塞する位置にスライドする。前記シャッター４のスライドに連動して前記インナーローター５が回転して、該インナーローター５の周壁７４に設けた切欠部７５が前記ヘッド挿入用の開口部３７に対して非重合位置に移動して、前記ヘッド挿入用の開口部３７を閉塞する。
【００２３】
前記インナーローター５の回転に連動して前記ディスククランプ手段６が操作されて、該ディスククランプ手段６によりディスク状記録媒体２のハブ２２がシェル３の下ハーフ４２に押し付けられてクランプされた状態になると共に、前記インナーローター押付手段７によりインナーローター５の周壁７４の先端が下ハーフ４２の内面に押し付けられて密着した状態になる。
【００２４】
（２）ディスク状記録媒体の構成
図３の分解図に示すように、ディスク状記録媒体２は、ディスク本体部２１と、該ディスク本体部２１の中央部に取付けられたハブ２２と、を備えている。ディスク本体部２１は、ハードディスク基板上に磁性層や保護層を積層することにより形成されている。
【００２５】
ディスク本体部２１の中央部には、センタ孔（図示省略）が設けられていて、該センタ孔に前記ハブ２２が取り付けられている。前記ハブ２２は、磁性体で形成されていて、後に説明するドライブ２０１の駆動軸（ターンテーブル）２０９にマグネットチャッキングされる。前記ハブ２２の一方の面（図３の上側の面）には前記駆動軸挿入用の開口部３６に嵌合する凸部２３が設けられ、他方の面（図３の下側の面）には、後に説明するディスク押圧部材８２の先端部に設けた凹部９３に嵌合する凸部２４が設けられている。
【００２６】
（３）シェルの構成
図１〜図２に示すように、シェル３は、前端面３１が略円弧面で、後端面３２及び左右の端面３３、３４がストレート面の偏平な箱形状に形成されている。
【００２７】
シェル３は、底面３５に駆動軸挿入用の開口部３６を有していて、該駆動軸挿入用の開口部３６は、シェル３の底面３５にスライド可能に取り付けたシャッター４で開閉されるようになっている。
【００２８】
また、シェル３は、前端面３１にヘッド挿入用の開口部３７を有していて、該ヘッド挿入用の開口部３７は、シェル３内に回転自在に収納されているインナーローター５で開閉されるようになっている。
【００２９】
前記シェル３の前端面３１は、ディスク２の外径と略同じ曲率の弧状面３１ａと、該弧状面３１ａの一端に連続する第１の平坦面３１ｂと、弧状面３１ｂの他端に連続する第２の平坦面３１ｃを有している。
【００３０】
前記第１の平坦面３１ｂと第２の平坦面３１ｃは、後に説明するドライブ２０１への挿入方向と直交する方向に形成されていて、前記第１の平坦面３１ｂがドライブ２０１に設けられているカートリッジ位置決め部材２０３との当接部になっている。前記ヘッド挿入用の開口部３７は、前記弧状面３１の第１の平坦面３１ｂ側に設けられている。
【００３１】
シェル３は、ポリカーボネート（ＰＣ）、アクリルブチレンスチロール（ＡＢＳ）等のプラスチック等の熱可塑性樹脂により射出成形された上ハーフ４１と下ハーフ４２とで構成されている。
【００３２】
図３に示すように、上ハーフ４１は、前記前端面３１の弧状面３１ａを構成する弧状面構成壁４１ａと、前記第１の平坦面３１ｂを構成する第１の平坦面構成壁４１ｂと、前記第２の平坦面３１ｃを構成する第２の平坦面構成壁４１ｃと、を備えていて、前記弧状面構成壁４１ａには、前記ヘッド挿入用の開口部３７を構成する切欠部４１ｄが設けられている。また、上ハーフ４１は、前記後端面３２を構成する後端面構成壁４１ｅ及び前記左右の端面３３，３４を構成する左右の端面構成壁４１ｆ，４１ｇを備えていて、これら後端面構成壁４１ｅ及び左右の端面構成壁４１ｆ，４１ｇの内側には、前記円弧状の前端面３１等と共に円形状のインナーローター収納部４３を構成する略円弧状の内壁４４を備え、該内壁４４の内側には、後に説明するインナーローター５に設けた環状の回転ガイド凸部７５が嵌合して、該インナーローター５の回転をガイドする回転ガイド溝４５が設けられている。
【００３３】
前記第２の平坦面構成壁４１ｃの内側や後端面構成壁４１ｅの内側の両側部には、ネジ止め用のボス部４６が設けられている。また、上ハーフ４１の内面には、後に説明するディスククランプ手段６の押圧解除部材８３が移動可能に配置される押圧解除部材組付け用の凹部４７が設けられ、該凹部４７の中心部（インナーローター収納部４３の中心部）には後記するディスククランプ手段６のディスク押圧部材８１を昇降可能に取り付けるための軸部４８が設けられ、該軸部４８の点対称位置には押圧解除部材８３，８３のスライドをガイドする軸部４９，４９が設けられている。
【００３４】
押圧解除部材組付け用の凹部４７は、ドライブの磁気ヘッドの挿入及び移動の障害にならないように、ヘッド挿入用の開口部３７を構成する切欠部４１ｄを避けた位置に設けられている。また、前記切欠部４１ｄを含むインナーローター５の回動範囲には、次に説明するインナーローター５のヘッド挿入用の薄肉段差部７６を挿入する段差部挿入用の凹部５０が設けられている。前記インナーローター収納部４３内には、ディスク２を回転自在に収納したインナーローター５が回転自在に収納される。
【００３５】
下ハーフ４２は、前記上ハーフ４１の弧状面構成壁４１ａと共に前記弧状面３１ａを構成する弧状面構成壁４２ａと、前記上ハーフ４１の第１の平坦面構成壁４１ｂと共に前記第１の平坦面３１ｂを構成する平坦面構成壁４２ｂと、第２の平坦面構成壁４１ｃと共に前記第２の平坦面３１ｃを構成する平坦面構成壁４２ｃと、を備えていて、前記弧状面構成壁４２ｃには、前記上ハーフ４１の切欠部４１ｄと共に前記ヘッド挿入用の開口部３７を構成する切欠部４２ｄが設けられている。また、下ハーフ４２は、前記上ハーフ４１の後端面構成壁４１ｅと共に前記後端面３２を構成する後端面構成壁４２ｅ及び前記上ハーフ４１の左右の端面構成壁４１ｆ，４１ｇと共に前記左右の端面３３，３４を構成する左右の端面構成壁４２ｆ，４２ｇを備えている。
【００３６】
下ハーフ４２は、外面側にシャッター４のスライド範囲を規定するシャッター落とし込み用の凹部５１を備えている。また、図６に示すように、下ハーフ４２は、インナーローター５の周壁７４の内側に位置する内周壁５２を備えている。そして、前述したように、前記シェル３の前端面３１、後端面３２、左右の端面３３，３４等の外周壁と、インナーローター５の周壁７４と、前記下ハーフ４２の内周壁５２とで、所謂ラビリンス構造の防塵壁を構成してシェル３の外部から塵埃等が侵入するのを防止する。
【００３７】
図３に示すように、前記上ハーフ４１と下ハーフ４２は、互いの弧状面構成壁、後端面構成壁、左右の端面構成壁等を突き合わせてネジ５３等により前記ボス部４６等で結合されてシェル３を構成する。また、前記シェル３の下ハーフ４２側の外面には前記シャッター４の自由端側が捲れ上がるのを防止するシャッターガイド５４が取付けられている。また、シェル３の内部にはシャッターロック部材５５と誤消去防止部材５６が取付けられている。
【００３８】
（４）シャッターの構成
シャッター４は、ステンレススチールやアルミニューム等の肉厚０．１〜０．５ｍｍ程度の薄板を矩形状に打ち抜くことにより形成されている。シャッター４は、長手方向の一端部にスライダー取付部４ａを備えていて、該スライダー取付部４ａに取り付けたスライダー６１を介してシェル３に組付けられる。
【００３９】
前記スライダー６１は、一側面にギヤ６２を有するラック状に作られていて、他側面にピン状の一対の突起６３を備えている。そして、前記一対の突起６３を前記シャッター４のスライダー取付部４ａに設けた一対のピン挿入孔４ｂに挿入して、前記突起６３の先端部をかしめて拡径させることによりシャッター４のスライダー取付部４ａに取り付けられる。
【００４０】
前記スライダー６１は、前記シャッター４を前記下ハーフ４２のシャッター落とし込み用の凹部５１内に重ね合わせた状態で、上ハーフ４１と下ハーフ４２の間に挟まれ、且つ前記ギヤ６２をインナーローター収納部４３内に臨ませた状態で、前記一方の端面３３に沿ってスライド可能に取り付けられていて、駆動軸挿入用の開口部３６を閉塞する位置と開放する位置との間で前記シャッター４を移動させるようになっている。
【００４１】
（５）インナーローターの構成
前記インナーローター５は、ディスク状記録媒体２のハブ２２が臨む孔部７１を中心部に有する円板状の基板７２と、該基板７２の一方の面（図３において下側の面）の周縁部近傍に設けられた環状の回転ガイド凸部７３と、前記基板７２の他方の面（図３において上側の面）の周縁部に立設された円筒状の周壁７４と、を備えていて、該周壁７４内にディスク状記録媒体２を回転自在に収納するようになっている。
【００４２】
前記基板７２の一方の面（図３において下側の面）の前記環状の回転ガイド凸部７３の内側には、次に説明するディスククランプ手段６のリンク機構８４を構成する突起８５が設けられている。
【００４３】
前記インナーローター５は、前記環状の回転ガイド凸部７３を前記上ハーフ４１に設けた回転ガイド溝４５に嵌合することにより前記インナーローター収納部４３に回転自在に収納されていて、周壁７４で前記ヘッド挿入用の開口部３７をシェル３の内側から塞ぐようになっている。
【００４４】
前記インナーローター５の周壁７４の一部には、切欠部７５が設けられていて、該切欠部７５を前記ヘッド挿入用の開口部３７と重ね合せることにより、該ヘッド挿入用の開口部３７を開放するようになっている。
【００４５】
前記インナーローター５の基板７２の前記ヘッド挿入用の開口部３７に連なるヘッド挿入部分及び移動部分には、ヘッド挿入時においてヘッドとの干渉を防止し、ヘッドの挿入及び移動を容易に行なうための薄肉段差部７６が設けられていて、該段差部７６の下端は、前記上ハーフ４１の内面に設けた段差部挿入用の凹部５０内に挿入されている。
【００４６】
前記インナーローター５は、周壁７４の外周面に前記スライダー６１のギヤ６２と噛合するギヤ７７を備えていて、シャッター４のスライドに連動して回動するようになっている。
【００４７】
前記インナーローター５は、シャッター４が駆動軸挿入用の開口部３６を閉塞する位置にあるときには、前記周壁７４で前記ヘッド挿入用の開口部３７を閉塞し、この位置からシャッター４が駆動軸挿入用の開口部３６を開放する位置にスライドしてきたときに、前記周壁７４の切欠部７５がヘッド挿入用の開口部３７と重なり合って、該ヘッド挿入用の開口部３７を開放するようになっている。
（６）ディスククランプ手段の構成
前述したように、ディスククランプ手段６は、インナーローター５がヘッド挿入用の開口部３７を閉塞する位置に回転してきたときにディスク状記録媒体２を上ハーフ４１に押し付けてディスク状記録媒体２をクランプし、インナーローター５がヘッド挿入用の開口部３７を開放する位置に回転してきたときにディスク状記録媒体２のクランプを解除するものである。
【００４８】
ディスククランプ手段６は、前記上ハーフ４１の内面の中央部に設けた軸部４８に昇降可能に組み付けられていてディスク状記録媒体２のハブ２２に接離可能なディスク押圧部材８１と、該ディスク押圧部材８１を付勢し該ディスク押圧部材８１を介してディスク状記録媒体２のハブ２２を下ハーフ４２に押し付けてクランプする付勢部材８２と、インナーローター５がヘッド挿入用の開口部３７を開放する位置に移動してきたときに該付勢部材８２の付勢力に抗して前記ディスク押圧部材８１を前記ディスク状記録媒体２から離間させて前記ディスク状記録媒体２のクランプを解除する一対の押圧解除部材８３，８３と、これら一対の押圧解除部材８３，８３を前記インナーローター５の回転に連動させて互いに接近又は離間する方向に移動させるリンク機構８４と、を備えている。
【００４９】
前記一対の押圧解除部材８３，８３は、上ハーフ４１とインナーローター５の間に前記ディスク押圧部材８１を挟んで直径方向に互いに接近方向及び離間する方向に移動可能に配置されていて、互いに接近する方向に移動したときに前記付勢部材８２の付勢力に抗して前記ディスク押圧部材８１を押圧して該ディスク押圧部材８１を前記ディスク状記録媒体２のハブ２２から離間させて前記ディスク押圧部材８１によるディスク状記録媒体２のクランプを解除し、互いに離間する方向に移動したときに前記ディスク押圧部材８１の押圧を徐々に解除して、前記付勢部材８２の付勢力によりディスク押圧部材８１をディスク状記録媒体２側に突出させるようになっている。
【００５０】
前記リンク機構８４は、前記インナーローター５の一方の面（図３の下側の面）に設けられた突起８５と、前記押圧解除部材８３，８３に設けられていて前記突起８５が変移可能に係合する長溝８６と、で構成されている。
【００５１】
図７に拡大して示すように、前記長溝８６は、前記インナーローター５の回転に伴う前記突起８５の変移によって前記一対の押圧解除部材８３，８３を互いに接近する方向又は離間する方向に直進移動させる第１の長溝部８７と、該第１の長溝部８７の両端部に連続し前記インナーローター５の回転に伴う前記突起８５の変移しても前記一対の押圧解除部材８３，８３を移動させることのない第２，第３の長溝部８８，８９と、を備えている。
【００５２】
第１の長溝部８７は、前記インナーローター５の回転角度に略比例して押圧解除部材８３，８３を円滑に移動させために２つの直線状溝８７ａ，８７ｂを連続させることにより構成されている。前記第２，第３の長溝部８８，８９は、インナーローター５の回転方向に中心点Ｃ１，Ｃ２の異なった同一曲率の円弧状に形成されている。
【００５３】
図３に示すように、前記ディスク押圧部材８１は、略円錐台形に形成されていて外周部に末広がり状の傾斜面９１を有し、該傾斜面９１の根元部に鍔部９２を備えている。
【００５４】
前記ディスク押圧部材８１は、先端部に前記ディスク状記録媒体２のハブ２２の下端部を挿入保持する凹部９３を有していて、該凹部９３内に前記ハブ２２に設けた凸部２４が嵌合するようになっている。
【００５５】
前記付勢部材８２には、コイルスプリングが用いられていて前記シェルの上ハーフとインナーローターとの間に介在されている。
【００５６】
前記一対の押圧解除部材８３，８３は、前記上ハーフ４１の内面に沿ってスライドするベース部１０１と、該ベース部１０１の一端部に折曲形成されているディスク押圧部材操作部１０２と、を備えている。前記ベース部１０１には接近、離間方向への移動ガイド溝１０１ａが設けられていて、該ガイド溝１０１ａ内に前記上ハーフ４１の内面に設けた軸部４９が挿入される。
【００５７】
シャター４及びインナーローター５が前記駆動軸挿入用の開口部３６及びヘッド挿入用の開口部３７が閉塞する位置にあるときは、図８〜図１０に示すように、インナーローター５に設けた突起８５は、前記一対の押圧解除部材８３，８３に設けた長溝８６の第２の溝部８８側に位置して、これら一対の押圧解除部材８３，８３を最も離間させた状態になっている。従って、前記ディスク押圧部材８１は、付勢部材８２の付勢力で前記鍔部９２が前記一対の押圧解除部材８３，８３に係合（当接）するまで前記ディスク状記録媒体２側に突出移動してディスク状記録媒体２のハブ２２を下ハーフ４２側に押し付けてディスク状記録媒体２をクランプしている。
【００５８】
また、シャター４及びインナーローター５が前記駆動軸挿入用の開口部３６及びヘッド挿入用の開口部３７が開放する位置にあるときは、図１１〜図１３に示すように、インナーローター５に設けた突起８５は、前記一対の押圧解除部材８３，８３に設けた長溝８６の第３の溝部８９側に位置して、これら一対の押圧解除部材８３，８３を最も接近させた状態にしている。従って、前記ディスク押圧部材８１は、前記一対の押圧解除部材８３，８３のディスク押圧部材操作部１０２で前記傾斜面９１を押圧され、前記付勢部材８２の付勢力に抗して前記ディス押圧部材８１を前記ディスク状記録媒体２のハブ２２から離間させて該ディスク状記録媒体２のクランプを解除する。
【００５９】
図１４に示すように、前記ディスク押圧部材操作部１０２は、先端部１０２ａが前記ディスク押圧部材８１の傾斜面９１又は鍔部９２に接触し、先端部１０２ａ以外は部分１０２ｂは、前記ディスク押圧部材８１の傾斜面９１又は鍔部９２に対して非接触状態になる。
（７）インナーローター押付手段の構成
前述したように、インナーローター押付手段７は、インナーローター５がヘッド挿入用の開口部３７を閉塞する位置に移動してきたときに、インナーローター５の周壁７４の先端を下ハーフ４２に押し付けて隙間を無くしてダスト等が侵入するのを防止するものである。
【００６０】
前記インナーローター押付手段７は、図３に示すように前記上ハーフ４１のヘッド挿入用の開口部４１ｄに近傍（前記開口部４１ｄの中央部付近）の内面に設けられた突起状の押圧部１１１と、図４に示すようにインナーローター５の上ハーフとの重合面に取付けられて該インナーローター５が前記ヘッド挿入用の開口部３７を閉塞する位置に移動してきたときに前記突起状の押圧部１１１により押圧される被押圧部１１２と、を備えている。
【００６１】
前記被押圧部１１２は、板バネを略弧状に折り曲げることにより形成されている。前記被押圧部１１２の長さ方向の一端部には平面状のインナーローター５への取付部１１３が設けられていて、該取付部１１３にはピン係合孔１１４が設けられている。前記被押圧部１１２は、インナーローター５に設けた係合ピン１１５を前記ピン係合孔１１４に挿入して先端部を熱かしめ等の方法で拡径することによりインナーローター５に取付けられる。
【００６２】
前記インナーローター５は、前記被押圧部１１２としての板バネを収容して、その頂部１１２ａをインナーローター５の表面と略同じ高さに位置させる第１の溝部１１６と、該第１の溝部１１６の一端部に連続し前記突起状の押圧部１１１の移動をガイドする第２の溝部１１７と、を備えている。前記第１の溝部１１６内には前記係合ピン１１５が設けられている。
【００６３】
図５（Ａ）に示すように、前記第１の溝部１１６は、前記被押圧部１１２の肉厚Ｔに、押圧部１１１の高さＨを加えた値よりも若干深めに形成されている。また、前記第２の溝部１１７は、前記突起状の押圧部１１１の高さＨと略同じ深さに形成されている。
【００６４】
インナーローター押付手段７は、インナーローター５がヘッド挿入用の開口部３７を開放している状態においては、図５（Ａ）に示すように、前記突起状の押圧部１１１が前記第２の溝部１１７の一端部に位置している。    そして、前記インナーローター５が前記ヘッド挿入用の開口部３７を閉塞する位置に移動してきたときに、図５（Ｂ）に示すように、前記突起状の押圧部１１１で被押圧部１１２としての板バネの頂部１１２ａを押圧し、インナーローター５の周壁７４の先端を下ハーフ４２に押し付けて密着させ、両者間の隙間Ｇ（図５Ａ参照）を無くすことにより前記インナーローター５の周壁７４の先端と下ハーフ４２の間からダスト等が侵入するのを防止する。
（８）ドライブの概略構成
図１５に示すように、記録再生装置２０１は、ディスクカートリッジ１を挿入するカートリッジ挿入部２０２を備えている。カートリッジ挿入部２０２は、一側部に前記ディスクカートリッジ１の第１の平坦面３１ｂに当接するカートリッジ位置決め部材２０３を備えている。
【００６５】
カートリッジ位置決め部材２０３は、ディスクカートリッジ１が所定の位置まで侵入してきたとき、前記第１の平坦面３１ｂに面接触してディスクカートリッジ１の更なる侵入を阻止して、ディスクカートリッジ１の位置決めを行なうようになっている。
【００６６】
カートリッジ挿入部２０２は、他側部に前記スライダー６１又はシャッター４の一端部に当接して前記スライダー６１及びシャッター４を前記駆動軸挿入用の開口部３６を開放する方向にスライドさせるシャッター開閉部材２０４を備えている。
【００６７】
また、カートリッジ挿入部２０２は、奥端側に磁気ヘッド装置２０５を備えている。磁気ヘッド装置２０５は、軸２０６を中心にして回動する回動アーム２０７の先端部に磁気ヘッド２０８を設けることにより構成されていて、前記磁気ヘッド２０８を前記ヘッド挿入用の開口部３６からディスクカートリッジ１内に挿入すると共に、ディスク状記録媒体２を駆動軸（ターンテーブル）２０９にチャッキングしてディスク状記録媒体２の記録再生を行なうようになっている。
【００６８】
（９）作用の説明
次に、前記ディスクカートリッジ１及びドライブ２０１の作用について説明する。
【００６９】
前記ディスクカートリッジ１は、ドライブ２０１に挿入する前の状態においては、図５（Ａ）に示すように、前記突起状の押圧部１１１が前記第２の溝部１１７の一端部に位置している。
【００７０】
そして、図１５に示すように、ディスクカートリッジ１を正規の姿勢でドライブ２０１のカートリッジ挿入部２０２に挿入すると、シャッター開閉部材２０４によりシャッターロック部材５５によるシャッター４のロックが解除されてシャッター４とスライダー６１が同時にスライドする。
【００７１】
インナーローター５が僅かに回転すると、前記インナーローター押付手段７の突起状の押圧部１１１が被押圧部１１２としての板バネの頂部１１２ａから外れて、インナーローター５の周壁７４の先端を下ハーフ４２に押し付けるのを解除する。
【００７２】
前記シャッター４のスライドによりインナーローター５が更に回転すると、図８〜図１１に示すように、インナーローター５に設けたディスククランプ手段６の突起８５が前記押圧解除部材８３に設けた長溝８６内を第２の長溝部８８側から第１の長溝部８７を経て第３の長溝部８９側に変移して、前記一対の押圧解除部材８３，８３が互いに接近する方向にスライドし、これら一対の押圧解除部材８３，８３に設けたディスク押圧部材操作部１０２の先端部１０２ａが前記ディスク押圧部材８１の傾斜面９１を押圧し、前記ディスク押圧部材８１を前記付勢部材８２の付勢力に抗して上ハーフ４１側に移動させて、前記ディス押圧部材８１による前記ディスク状記録媒体２のハブ２２のクランプを解除し、前記ディスク状記録媒体２を回転自在の状態にする。
【００７３】
そして、前記シャッター４のスライド及びインナーローター５の回転により、駆動軸挿入用の開口部３６及びヘッド挿入用の開口部３７が開放され、ディスク状記録媒体２のクランプが解除される位置までディスクカートリッジ１が挿入されると、図１６に示すように、ディスクカートリッジ１の第１の平坦面３１ｂがカートリッジ位置決め部材２０３に面接触してディスクカートリッジ１の更なる侵入を阻止して、ディスクカートリッジ１の位置決めを行なう。
【００７４】
前記ディスクカートリッジ１が所定の位置まで挿入され、かつ前記駆動軸挿入用の開口部３６及びヘッド挿入用の開口部３７が開放され、ディスク状記録媒体２のクランプが解除されたことが検出されると、ドライブ２０１の駆動軸２０９が前記駆動軸挿入用の開口部３６からディスクカートリッジ１内に導入され、駆動軸２０９にディスク状記録媒体２のハブ２２がマグネットチャキングされると共に、ヘッド挿入用の開口部３７から前記磁気ヘッド２０８がディスクカートリッジ１内に導入されてディスク２への記録再生が可能な状態になる。
【００７５】
記録再生終了後に、ディスクカートリッジ１がドライブ２０１から排出されてくると、シャッター４が閉方向にスライドして、駆動軸挿入用の開口部３６を閉塞すると共に、インナーローター５が回転して周壁７４に設けた切欠部７５がヘッド挿入用の開口部３７と非重合状態になって、ヘッド挿入用の開口部３７がインナーローター５の周壁７４で閉塞される。
【００７６】
前記インナーローター５の回転により、該インナーローター５に設けた突起８５が前記押圧解除部材８３に設けた長溝８６内を第３の長溝部８９側から第１の長溝部８７を経て第２の長溝部８８側に変移して、前記一対の押圧解除部材８３，８３を互いに離間する方向にスライドさせ、これら一対の押圧解除部材８３，８３によるディス押圧部材８１の押圧を徐々に緩和していく。
【００７７】
前記一対の押圧解除部材８３，８３による押圧を緩和されたディス押圧部材８１は、付勢部材８２の付勢力により下ハーフ４２側に移動して、前記ディスク状記録媒体２のハブ２２を下ハーフ４２側に押し付けてディスク状記録媒体２をシェル３内でクランプして、ディスクカートリッジ１を持ち運ぶ時などにシェル３内でディスクカートリッジ１がガタツくのを阻止する。
【００７８】
前記インナーローター５が周壁７４でヘッド挿入用の開口部３７を閉塞する位置まで回転してくると、図５（Ｂ）に示すように、前記インナーローター押付手段７の突起状の押圧部１１１で被押圧部１１２としての板バネの頂部１１２ａを押圧し、インナーローター５の周壁７４の先端を下ハーフ４２に押し付けて密着させることにより前記インナーローター５の周壁７４の先端と下ハーフ４２の間からダスト等が侵入するのを防止するのである。
【００７９】
（１０）他の実施例
図面に示した実施例では、ディスククランプ手段６を備えていて、シェル３に設けた駆動軸挿入用の開口部３６をシャッター４で閉塞したときに、前記ディスククランプ手段６でディスク状記録媒体２をシェル３内にクランプするようにしたディスクカートリッジ１を示したが、前記ディスククランプ手段６を備えていないディスクカートリッジであっても良い。また、図面に示した実施例では、インナーローター押付手段７をヘッド挿入用の開口部３７の近傍の１個所に設けた場合を示したが、インナーローター押付手段７を複数個所に設けてインナーローター５全体を下ハーフ４２側に押し付ける構成にしても良い。
【００８０】
【発明の効果】
本発明のディスクカートリッジには次に述べるような効果がある。
（１）請求項１のディスクカートリッジは、インナーローターがヘッド挿入用の開口部を閉塞する位置に移動してきたときにインナーローター押付手段でインナーローターの周壁の先端を下ハーフに密着させて両者間の隙間をなくしてダスト等が侵入するのを防止する。
（２）請求項２のディスクカートリッジは、インナーローター押付手段を、上ハーフのインナーローターと重合面に設けられた突起状の押圧部と、インナーローターの上ハーフとの重合面に設けられていて該インナーローターが前記ヘッド挿入用の開口部を閉塞する位置に移動してきたときに前記突起状の押圧部により押圧される被押圧部と、で構成したので、インナーローターがヘッド挿入用の開口部を閉塞する位置に移動してきたときに前記突起状の押圧部で被押圧部を押圧して前記インナーローターの周壁の先端を下ハーフに押し付けて、両者間の隙間を無くしてダスト等の侵入を防止する。
（３）請求項３のディスクカートリッジは、前記被押圧部を、板バネを略弧状に折り曲げることにより形成したので、被押圧部を容易かつ安価に製造することができるようにすると共にインナーローターへの取付けを容易に行なうことができる。
（４）請求項４のディスクカートリッジは、インナーローターに、前記被押圧部としての板バネを収容した第１の溝部と、該第１の溝部の一端部に連続し前記突起状の押圧部を挿入して該突起状の押圧部の移動をガイドする第２の溝部と、を設けたので、前記上ハーフに設けた突起状の押圧部をインナーローターに設けた第２の溝部に挿入することによりインナーローターを上ハーフ側に密着させた状態で回転させ、インナーローターが前記ヘッド挿入用の開口部を閉塞する位置に移動してきたときに前記突起状の押圧部で第１の溝部内に取付けられている板バネを押圧してインナーローターの周壁の先端を下ハーフに押し付けることができる。
【図面の簡単な説明】
【図１】ディスクカートリッジの斜視図。
【図２】ディスクカートリッジを底面側から見た斜視図。
【図３】ディスクカートリッジの分解斜視図。
【図４】インナーローターの斜視図。
【図５】（Ａ）と（Ｂ）はインナーローター押付手段の作用を示す断面図。
【図６】周壁部分の断面図。
【図７】押圧解除部材の平面図。
【図８】駆動軸挿入用の開口部及びヘッド挿入用の開口部が閉塞されている状態の要部の平面図。
【図９】駆動軸挿入用の開口部及びヘッド挿入用の開口部が閉塞されている状態の側面図。
【図１０】図８のＡ−Ａ断面図。
【図１１】駆動軸挿入用の開口部及びヘッド挿入用の開口部が開放されている状態の要部の平面図。
【図１２】駆動軸挿入用の開口部及びヘッド挿入用の開口部が開放されている状態の側面図。
【図１３】図１１のＡ−Ａ断面図。
【図１４】図１３の要部の拡大断面図。
【図１５】ディスクカートリッジと記録再生装置の略示的平面図。
【図１６】ディスクカートリッジを挿入した状態の平面図。
【図１７】従来例の斜視図。
【図１８】従来例の分解斜視図。
【符号の説明】
１…ディスクカートリッジ、２…ディスク状記録媒体、３…シェル、４…シャッター、５…インナーローター、６…ディスククランプ手段、７…インナーローター押付手段、３６…駆動軸挿入用の開口部、３７…ヘッド挿入用の開口部、４１…上ハーフ、４２…下ハーフ、７４…インナーローターの周壁、１１１…突起状の押圧部、１１２…被押圧部、１１６…第１の溝部、１１７…第２の溝部。
【図１】
2004273028.tif 000003
【図２】
2004273028.tif 000004
【図３】
2004273028.tif 000005
【図４】
2004273028.tif 000006
【図５】
2004273028.tif 000007
【図６】
2004273028.tif 000008
【図７】
2004273028.tif 000009
【図８】
2004273028.tif 000010
【図９】
2004273028.tif 000011
【図１０】
2004273028.tif 000012
【図１１】
2004273028.tif 000013
【図１２】
2004273028.tif 000014
【図１３】
2004273028.tif 000015
【図１４】
2004273028.tif 000016
【図１５】
2004273028.tif 000017
【図１６】
2004273028.tif 000018
【図１７】
2004273028.tif 000019
【図１８】
2004273028.tif 000020